(57)【要約】【課題】センサの取り付けが容易にでき、また、センサと受刃との絶縁距離を確実に確保することができる電源コンセントを提供する。【解決手段】絶縁材料により形成したコンセントケース２のカバー４の前面に１対のプラグ挿入口６，６を形成し、プラグ挿入口６，６間に透孔７を形成する。プラグ挿入口６の内側にはプラグの栓刃を挟持する受刃１７を配設し、受刃１７，１７間に隔壁１３を形成する。この隔壁１３内に受刃１７に接続されたプラグの栓刃間に発生する火花放電を検知するセンサ１６をカバー４の透孔７に臨むようにして設ける。【選択図】図１
2006048961.tif 000002
【特許請求の範囲】
【請求項１】
絶縁材料により形成したコンセントケースの前面に１対のプラグ挿入口を１個又は複数個形成し、該プラグ挿入口の内側にプラグの栓刃を挟持する受刃を配設し、前記プラグ挿入口間に透孔を形成し、該透孔の内側に前記栓刃間に発生する火花放電を検知するセンサを配設して成る電源コンセントにおいて、前記コンセントケースは前記受刃間に隔壁を形成し、前記センサを一部が前記透孔に臨むようにして前記隔壁内に設けたことを特徴とする電源コンセント。
【請求項２】
前記コンセントケースは前面を開口した本体と、該本体の前面開口に取り付けられるカバーと、前記本体と前記カバーで形成される内部空間に収納されて前記受刃を保持する中間ベースとで形成し、該中間ベースに前記隔壁を形成したことを特徴とする請求項１に記載の電源コンセント。
【請求項３】
前記隔壁に前記センサをインサート成形したことを特徴とする請求項１又は請求項２に記載の電源コンセント。
【請求項４】
前記隔壁に取付溝を形成し、該取付溝に前記センサを嵌挿させて取り付けたことを特徴とする請求項１又は請求項２に記載の電源コンセント。
【請求項５】
前記隔壁の後方に形成された空間にプリント基板を配設し、前記センサは金属板で形成されて前記プリント基板まで延設し、該プリント基板に設けた差し込み端子に差し込んで電気的に接続することを特徴とする請求項１乃至請求項４の何れかに記載の電源コンセント。
【請求項６】
前記隔壁の後方に形成された空間にプリント基板を配設し、前記センサは金属板で形成されて前記プリント基板まで延設し、前記センサ又は前記プリント基板側の接続端子を弾性変形可能に形成し、両者を接触させて電気的に接続することを特徴とする請求項１乃至請求項４の何れかに記載の電源コンセント。
【発明の詳細な説明】
【技術分野】
【０００１】
本発明は、トラッキングに至る前に発生する火花放電を検知してトラッキングの発生を防止する電源コンセントに関する。
【背景技術】
【０００２】
従来、トラッキングを防止する機能を有する電源コンセントとして特許文献１に示すものがある。特許文献１は電源コンセント前面の受刃間に導電板を配置し、一端は表面から突出させ、もう一端はアース端子に接続させることで、トラッキングに至る前に発生する火花放電が発生した際にプラグの両刃間に流れる電流を導電板を介してアース端子に流し、漏電ブレーカに漏電電流として検知させて電路を遮断させている。
【０００３】
【特許文献１】特開２００１−３５５９９号公報
【発明の開示】
【発明が解決しようとする課題】
【０００４】
従来の電源コンセントはトラッキングに至る前に発生する火花放電を検出するセンサである導電板が電源コンセント表面に露出しているため、導電性のものが接触した際に誤動作する虞があったし、プラグ利用者の手等が接触することも考えられ、好ましいものではなかった。そこで本出願人は特願２００３−１２０５４６により、センサを電源コンセントの表面に露出させずに火花放電を検出することができる電源コンセントを提案している。この電源コンセントはセンサの取り付け構造としてカバー裏面に樹脂等の絶縁体によりセンサを背部から覆って固着する方法が示されているが、狭いスペースで細かい作業をしなければならないので作業性が悪いという欠点があった。また、絶縁体が外れた場合に受刃とセンサとの絶縁距離が確保できず、更に、センサとプリント基板の接続はリード線を介して行っているのでハンダ付けを行う必要があり、手間がかかっていた。
【課題を解決するための手段】
【０００５】
本発明は、請求項１に記載の発明によれば、絶縁材料により形成したコンセントケースの前面に１対のプラグ挿入口を１個又は複数個形成し、プラグ挿入口の内側にプラグの栓刃を挟持する受刃を配設し、プラグ挿入口間に透孔を形成し、透孔の内側に栓刃間に発生する火花放電を検知するセンサを配設して成る電源コンセントにおいて、コンセントケースは受刃間に隔壁を形成し、センサを一部が透孔に臨むようにして隔壁内に設けたことを特徴とする。
【０００６】
請求項２に記載の発明によれば、請求項１に記載の電源コンセントにおいて、コンセントケースは前面を開口した本体と、本体の前面開口に取り付けられるカバーと、本体とカバーで形成される内部空間に収納されて受刃を保持する中間ベースとで形成し、中間ベースに隔壁を形成したことを特徴とする。
【０００７】
請求項３に記載の発明によれば、請求項１又は請求項２に記載の電源コンセントにおいて、隔壁にセンサをインサート成形したことを特徴とする。
【０００８】
請求項４に記載の発明によれば、請求項１又は請求項２に記載の電源コンセントにおいて、隔壁に取付溝を形成し、取付溝にセンサを嵌挿させて取り付けたことを特徴とする。
【０００９】
請求項５に記載の発明によれば、請求項１乃至請求項４の何れかに記載の電源コンセントにおいて、隔壁の後方に形成された空間にプリント基板を配設し、センサは金属板で形成されてプリント基板まで延設し、プリント基板に設けた差し込み端子に差し込んで電気的に接続することを特徴とする。
【００１０】
請求項６に記載の発明によれば、請求項１乃至請求項４の何れかに記載の電源コンセントにおいて、隔壁の後方に形成された空間にプリント基板を配設し、センサは金属板で形成されてプリント基板まで延設し、センサ又はプリント基板側の接続端子を弾性変形可能に形成し、両者を接触させて電気的に接続することを特徴とする。
【発明の効果】
【００１１】
本発明は、請求項１に記載の発明によれば、絶縁材料により形成したコンセントケースの前面に１対のプラグ挿入口を１個又は複数個形成し、プラグ挿入口の内側にプラグの栓刃を挟持する受刃を配設し、プラグ挿入口間に透孔を形成し、透孔の内側に栓刃間に発生する火花放電を検知するセンサを配設して成る電源コンセントにおいて、コンセントケースは受刃間に隔壁を形成し、センサを一部が透孔に臨むようにして隔壁内に設けたことにより、センサの取り付けが容易にでき、また、センサと受刃との絶縁距離を確実に確保することができるという効果がある。
【００１２】
請求項２に記載の発明によれば、請求項１に記載の電源コンセントにおいて、コンセントケースは前面を開口した本体と、本体の前面開口に取り付けられるカバーと、本体とカバーで形成される内部空間に収納されて受刃を保持する中間ベースとで形成し、中間ベースに隔壁を形成したことにより、組立作業性が向上するという効果がある。
【００１３】
請求項３に記載の発明によれば、請求項１又は請求項２に記載の電源コンセントにおいて、隔壁にセンサをインサート成形したことにより、センサの取り付け作業をなくすことができるという効果がある。
【００１４】
請求項４に記載の発明によれば、請求項１又は請求項２に記載の電源コンセントにおいて、隔壁に取付溝を形成し、取付溝にセンサを嵌挿させて取り付けたことにより、センサの取り付けが容易にできるという効果がある。
【００１５】
請求項５に記載の発明によれば、請求項１乃至請求項４の何れかに記載の電源コンセントにおいて、隔壁の後方に形成された空間にプリント基板を配設し、センサは金属板で形成されてプリント基板まで延設し、プリント基板に設けた差し込み端子に差し込んで電気的に接続することにより、センサとプリント基板の接続が容易にできるという効果がある。
【００１６】
請求項６に記載の発明によれば、請求項１乃至請求項４の何れかに記載の電源コンセントにおいて、隔壁の後方に形成された空間にプリント基板を配設し、センサは金属板で形成されてプリント基板まで延設し、センサ又はプリント基板側の接続端子を弾性変形可能に形成し、両者を接触させて電気的に接続することにより、センサとプリント基板の接続が容易にできるという効果がある。
【発明を実施するための最良の形態】
【００１７】
絶縁材料により形成したコンセントケースの前面に１対のプラグ挿入口を形成し、プラグ挿入口間に透孔を形成する。プラグ挿入口の内側にはプラグの栓刃を挟持する受刃を配設し、受刃間に隔壁を形成する。この隔壁内に受刃に接続されたプラグの栓刃間に発生する火花放電を検知するセンサを透孔に臨むようにして設ける。
【実施例１】
【００１８】
本発明に係る電源コンセントの実施例１を図１〜図３の添付図面に基づいて説明する。
【００１９】
電源コンセント１は、絶縁材料によりコンセントケース２が形成され、図１の正面図を前面とし、長手方向を上下方向とした場合、コンセントケース２は前面を開口した本体３と、本体３の前面開口に取り付けられるカバー４と、本体３とカバー４に上下端部を挟持されて内部空間に収納される中間ベース５とで形成されている。
【００２０】
カバー４は前面にプラグの栓刃（図示せず）を挿入するための１対のプラグ挿入口６，６が中央と下部の２箇所に形成され、夫々のプラグ挿入口６，６間の中間位置に透孔７が形成されている。カバー４の上部にはトラッキング時に作動するブレーカのハンドル８や表示ランプ９、テストボタン１０が臨むようになっている。
【００２１】
中間ベース５は矩形板部１１の全周に立ち上げ部１２が形成され、短手方向の中間位置にカバー裏面まで延びる隔壁１３が形成されている。隔壁１３の前端にはカバー４の透孔７と対向する位置に孔１４が形成され、隔壁１３の後端には孔１４に連続する取付溝１５が形成されている。この取付溝１５は金属片から成るセンサ１６が嵌挿されてセンサ１６の一部が孔１４に臨むように取り付けられ、センサ１６の後端は中間ベース５の背面から露出するように設けられている。尚、センサ１６は隔壁１３にインサート成形することにより、装着の手間も省くことができる。また、センサ１６は、金属板でなくても導電部材であればよい。隔壁１３を介して左右両側にはプラグの栓刃を挟持する受刃１７が立ち上げ部１２と隔壁１３によって位置決めされて夫々配置され、上下の受刃１７同士は同極であるので連結部１８によって連結されている。この受刃１７には分電盤等から延びるケーブル１９が接続される本体３の差し込み端子２０に接続された電線２１や後述するプリント基板２２に一端が接続された電源用の電線２３が接続されている。
【００２２】
中間ベース５の後方に形成された空間にはトラッキング検出回路や電源回路等の各種回路を実装したプリント基板２２が中間ベース５の矩形板部１１と平行に収納されている。プリント基板２２にはリード線２４の一端が接続され、他端がセンサ１６の後端に接続されてセンサ１６はトラッキング検出回路と電気的に接続されている。また、中間ベース５の上方に形成された空間にはブレーカ（図示せず）が収納されている。
【００２３】
電源コンセント１のトラッキング検出動作を説明すると、受刃１７，１７に接続されたプラグの栓刃間に埃等が溜まり空気中の湿気を吸収することにより水分を介して栓刃間に微少な電流が流れ、その電荷を帯びた水分が気化し火花放電する。そして、火花放電が透孔７から進入してセンサ１６に接触すると微小な電流が流れる。このセンサ１６の出力電流からトラッキング検出回路はトラッキングを検出し、ブレーカを作動させると共に表示ランプ９によって表示を行うようになっている。
【００２４】
尚、本実施例ではセンサ１６の先端は隔壁１３から突出しないようになっているが、図４に示すようにセンサ１６の先端を隔壁１３から突出して形成しても良い。
【実施例２】
【００２５】
本発明に係る電源コンセントの実施例２を図５及び図６の添付図面に基づいて説明する。尚、実施例１と同一部分は同一符号を付して説明を省略する。
【００２６】
本実施例では、センサ１６は略コ字状に形成されて２個分を一体に形成し、後端が中間ベース５の背面から突出して設けられている。プリント基板２２の前面にはセンサ１６の後端と対向する位置に差し込み端子３０が設けられている。センサ１６は差し込み端子３０に差し込む作業だけでプリント基板２２と電気的に接続することができ、センサ１６は２個を一体に形成しているので差し込み端子は１つで良い。尚、センサ１６を受刃１７毎に１つずつ設けた場合、差し込み端子３０の数はセンサ１６に対応する数だけ必要になる。
【実施例３】
【００２７】
本発明に係る電源コンセントの実施例３を図７の添付図面に基づいて説明する。尚、実施例１と同一部分は同一符号を付して説明を省略する。
【００２８】
本実施例では、センサ１６の後端が中間ベース５の背面から突出して設けられ、プリント基板２２の前面にセンサ１６の後端と対向する位置に弾性変形可能な板バネ状の接続端子４０が設けられている。これにより電源コンセント１を組み立てるとセンサ１６の後端が接続端子４０に接触するため、プリント基板２２と電気的に接続することができる。尚、センサの後端を弾性変形可能に形成し、プリント基板の接続端子に接触させて両者を接続させても良い。
【実施例４】
【００２９】
本発明に係る電源コンセントの実施例４を図８の添付図面に基づいて説明する。尚、実施例１乃至実施例３と同一部分は同一符号を付して説明を省略する。
【００３０】
本実施例では、カバー４の裏面に隔壁５３が一体に形成されている。また中間ベース５の短手方向の中間位置には貫通孔５２が形成され、組み立て時に隔壁５３が貫通孔５２に貫通するようになっている。
【００３１】
尚、実施例１〜４ではプラグが２個接続できる２口電源コンセントであるが、１口電源コンセントや複数のプラグが接続できる延長タップ等でも良いし、また、ブレーカを内蔵して電路を遮断するようになっているがトラッキング検出時の動作について限定はない。また、中間ベースを本体と一体に形成する等、電源コンセントの形状、構造及び機能等、本発明の趣旨を逸脱しない範囲で適宜に変更して実施することも可能である。
【図面の簡単な説明】
【００３２】
【図１】本発明の実施例１に係る電源コンセントの正面図である。
【図２】図１のＡ−Ａ線断面図である。
【図３】電源コンセントの中間ベースを示す斜視図である。
【図４】電源コンセントの変形実施例を示す要部断面図である。
【図５】本発明の実施例２に係る電源コンセントの中間ベースを示す斜視図である。
【図６】本発明の実施例２に係る電源コンセントの要部断面図である。
【図７】本発明の実施例３に係る電源コンセントの要部断面図である。
【図８】本発明の実施例４に係る電源コンセントの要部断面図である。
【符号の説明】
【００３３】
１    電源コンセント
２    コンセントケース
３    本体
４    カバー
５    中間ベース
６    プラグ挿入口
７    透孔
１３    隔壁
１４    孔
１５    取付溝
１６    センサ
１７    受刃
２２    プリント基板
２４    リード線
【図１】
2006048961.tif 000003
【図２】
2006048961.tif 000004
【図３】
2006048961.tif 000005
【図４】
2006048961.tif 000006
【図５】
2006048961.tif 000007
【図６】
2006048961.tif 000008
【図７】
2006048961.tif 000009
【図８】
2006048961.tif 000010